【手続補正書】
【提出日】平成16年11月24日(2004.11.24)
【手続補正１】
【補正対象書類名】明細書
【補正対象項目名】特許請求の範囲
【補正方法】変更
【補正の内容】
【特許請求の範囲】
【請求項１】
遊技機の制御を行うとともにその遊技状態を記憶可能な遊技データ記憶手段を備えた遊技制御装置と、
外部から前記遊技機への電源供給が停止した後も所定の時間、前記遊技データ記憶手段ヘバックアップ用の電源を供給するバックアップ電源供給手段を備えた遊技機において、
前記バックアップ電源供給手段には、
第１の電源供給時間を設定した第１バックアップ電源と
前記第１の電源供給時間よりも長い第２の電源供給時間を設定した第２バックアップ電源とを備え、
前記遊技機には、前記遊技データ記憶手段に供給するバックアップ電源を前記第１バックアップ電源又は前記第２バックアップ電源のうちの一方に設定するバックアップ時間設定手段を備えたことを特徴とする遊技機。
【請求項２】
遊技機の制御を行うとともにその遊技状態を記憶可能な遊技データ記憶手段を備えた遊技制御装置と、
前記遊技制御装置からの制御信号に基づいて遊技機の一部の制御を行うとともにその制御に関する制御データを記憶する制御データ記憶手段を備えたサブ制御装置と、
外部から前記遊技機への電源供給が停止した後も所定の時間、前記遊技データ記憶手段及び前記制御データ記憶手段へバックアップ用の電源を供給するバックアップ電源供給手段を備えた遊技機において、
前記バックアップ電源供給手段には、
第１の電源供給時間を設定した第１バックアップ電源と
前記第１の電源供給時間よりも長い第２の電源供給時間を設定した第２バックアップ電源とを備え、
前記遊技機には、前記遊技データ記憶手段に供給するバックアップ電源を前記第１バックアップ電源又は前記第２バックアップ電源のうちの一方に設定するバックアップ時間設定手段を備えたことを特徴とする遊技機。
【請求項３】
遊技機の制御を行うとともにその遊技状態を記憶可能な遊技データ記憶手段を備えた遊技制御装置と、
前記遊技制御装置からの制御信号に基づいて遊技機の一部の制御を行うとともにその制御に関する制御データを記憶する制御データ記憶手段を備えたサブ制御装置と、
外部から前記遊技機への電源供給が停止した後も所定の時間、前記遊技データ記憶手段及び前記制御データ記憶手段へバックアップ用の電源を供給するバックアップ電源供給手段を備えた遊技機において、
前記バックアップ電源供給手段には、
第１の電源供給時間を設定した第１バックアップ電源と
前記第１の電源供給時間よりも長い第２の電源供給時間を設定した第２バックアップ電源とを備え、
前記遊技機には、前記制御データ記憶手段に供給するバックアップ電源を前記第１バックアップ電源又は前記第２バックアップ電源のうちの一方に設定するバックアップ時間設定手段を備えたことを特徴とする遊技機。
【請求項４】
前記遊技データ記憶手段には、固定して前記第１バックアップ電源又は第２バックアップ電源を供給することを特徴とする請求項３記載の遊技機。
【請求項５】
前記バックアップ時間設定手段は、遊技機の入力部への操作に基づいて前記第１バックアップ電源又は前記第２バックアップ電源のうちの一方に設定することを特徴とする請求項１乃至４記載の遊技機。
【手続補正２】
【補正対象書類名】明細書
【補正対象項目名】０００９
【補正方法】変更
【補正の内容】
【０００９】
また、請求項２記載の発明は、遊技機の制御を行うとともにその遊技状態を記憶可能な遊技データ記憶手段（ＲＡＭ２３０中の遊技データ記憶領域）を備えた遊技制御装置２００と、
前記遊技制御装置２００からの制御信号に基づいて遊技機の一部の制御を行うとともにその制御に関する制御データを記憶する制御データ記憶手段（ＲＡＭ３３０中の制御データ記憶領域）を備えたサブ制御装置（賞球制御装置３００）と、
外部から前記遊技機への電源供給が停止した後も所定の時間、前記遊技データ記憶手段（ＲＡＭ２３０中の遊技データ記憶領域）及び前記制御データ記憶手段（ＲＡＭ３３０中の制御データ記憶領域）へバックアップ用の電源を供給するバックアップ電源供給手段（バックアップ電源生成回路１０３）を備えた遊技機において、
前記バックアップ電源供給手段（バックアップ電源生成回路１０３）には、
第１の電源供給時間を設定した第１バックアップ電源（第１バックアップ電源生成回路１０３ａ）と
前記第１の電源供給時間よりも長い第２の電源供給時間を設定した第２バックアップ電源（第２バックアップ電源生成回路１０３ｂ）とを備え、
前記遊技機には、前記遊技データ記憶手段に供給するバックアップ電源を前記第１バックアップ電源（第１バックアップ電源生成回路１０３ａ）又は前記第２バックアップ電源（第２バックアップ電源生成回路１０３ｂ）のうちの一方に設定するバックアップ時間設定手段１０４を備えたことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
また、請求項３記載の発明は、遊技機の制御を行うとともにその遊技状態を記憶可能な遊技データ記憶手段（ＲＡＭ７０３中の遊技データ記憶領域）を備えた遊技制御装置（メイン制御装置７００）と、
前記遊技制御装置（メイン制御装置７００）からの制御信号に基づいて遊技機の一部の制御を行うとともにその制御に関する制御データを記憶する制御データ記憶手段（ＲＡＭ８０３中の制御データ記憶領域）を備えたサブ制御装置８００と、
外部から前記遊技機への電源供給が停止した後も所定の時間、前記遊技データ記憶手段（ＲＡＭ７０３中の遊技データ記憶領域）及び前記制御データ記憶手段（ＲＡＭ８０３中の制御データ記憶領域）へバックアップ用の電源を供給するバックアップ電源供給手段（バックアップ電源生成回路６０３）を備えた遊技機において、
前記バックアップ電源供給手段（バックアップ電源生成回路６０３）には、
第１の電源供給時間を設定した第１バックアップ電源（第１バックアップ電源生成回路６０３ａ）と
前記第１の電源供給時間よりも長い第２の電源供給時間を設定した第２バックアップ電源（第２バックアップ電源生成回路６０３ｂ）とを備え、
前記遊技機には、前記制御データ記憶手段（ＲＡＭ８０３中の制御データ記憶領域）に供給するバックアップ電源を前記第１バックアップ電源（第１バックアップ電源生成回路６０３ａ）又は前記第２バックアップ電源（第１バックアップ電源生成回路６０３ａと追加バックアップ電源生成回路６５０の両方）のうちの一方に設定するバックアップ時間設定手段を備えたことを特徴とする。
【手続補正６】
【補正対象書類名】明細書
【補正対象項目名】００１６
【補正方法】変更
【補正の内容】
【００１６】
また、請求項４記載の発明は、前記遊技データ記憶手段（ＲＡＭ７０３中の遊技データ記憶領域）には、固定して第１バックアップ電源（第１バックアップ電源６０３ａ）又は第２バックアップ電源（第１バックアップ電源６０３ａと追加バックアップ電源生成回路６５０の両方）を供給することを特徴とする。
【手続補正７】
【補正対象書類名】明細書
【補正対象項目名】００１８
【補正方法】変更
【補正の内容】
【００１８】
また、請求項５記載の発明は、前記バックアップ時間設定手段（１１０ａ、５０３ａ）は、遊技機の入力部への操作に基づいて前記第１バックアップ電源又は前記第２バックアップ電源のうちの一方に設定することを特徴とする。
【手続補正８】
【補正対象書類名】明細書
【補正対象項目名】０１００
【補正方法】変更
【補正の内容】
【０１００】
また、第２の実施形態では、切換によりバックアップされる時間が変わるのは、サブ制御装置８００のＲＡＭ８０３のみであり、メイン制御装置７００のＲＡＭ７０３は、バックアップ時間がより長い第２バックアップ電源生成回路６０３ｂにより固定的にバックアップされていたが、逆に、切換によりバックアップされる時間が変わるのは、メイン制御装置７００のＲＡＭ７０３のみであり、サブ制御装置８００のＲＡＭ８０３は、バックアップ時間がより長い第２バックアップ電源生成回路により固定的にバックアップされていてもよい。
【発明の効果】
バックアップ時間を２種類設け、この２種類の時間を遊技店が選択することにより、営業日毎に煩わしい操作を行うことなく、遊技店の営業形態にあった営業を行うことが可能な遊技機を提供することができる。
また、遊技全体、特に遊技内容を制御する遊技制御装置２００内に設けられた揮発性ＲＡＭ２３０をバックアップする時間として２種類設け、この２種類の時間を遊技店が選択することにより、営業日毎に煩わしい操作を行うことなく、遊技店の営業形態にあった営業を行うことが可能な遊技機を提供することができる。
さらに、遊技制御装置（メイン制御装置７００）からの制御信号に基づいて遊技機の一部を制御するサブ制御装置８００内に設けられ、制御データを記憶する揮発性ＲＡＭ８０３をバックアップする時間として２種類設け、この２種類の時間を遊技店が選択することにより、営業日毎に煩わしい操作を行うことなく遊技店の営業形態にあった営業を行うことが可能な遊技機を提供することができる。
特に、スロットマシン等において、主流となりつつある、当選役の報知等により遊技機の出球に影響を与える制御装置の記憶手段について、バックアップ時間を２種類設定可能とすることにより、効果が顕著になる。
さらにまた、出球管理の主となる制御データを記憶する部分のバックアップ時間を切換可能とし、遊技店のサービスと関連性の少ない記憶手段には、設定手段を設けないことで、効率的なバックアップ電源を供給することができる。
また、バックアップ時間の切換を弾球遊技機であれば、入賞スイッチ、スロットマシンであればストップ釦等の遊技用の入力スイッチにより行うことで、現行の遊技機に切り換え用スイッチを用いることを要しない遊技機を提供することができる。